【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
ユーザ端末機(user equipment:ＵＥ）の方法であって、
基地局に少なくとも一つのディスカバリリソースを要請するメッセージを送信するステップと、
前記基地局から、前記ＵＥに割り当てられた少なくとも一つのディスカバリリソースに対する情報を含むメッセージを受信するステップと、を含み、
前記少なくとも一つのディスカバリリソースを要請するメッセージは、前記少なくとも一つのディスカバリリソースの個数に対する情報を含み、
前記ＵＥに割り当てられた少なくとも一つのディスカバリリソースは、時間インデックス及び周波数インデックスの形態で構成された専用リソースプールに含まれることを特徴とするユーザ端末機の方法。
【請求項２】
前記少なくとも一つのディスカバリリソースを要請するメッセージの送信を決定するステップをさらに含むことを特徴とする請求項１に記載のユーザ端末機の方法。
【請求項３】
前記少なくとも一つのディスカバリリソースを要請するメッセージの送信を決定するステップは、
前記ＵＥが無線リソース制御(radio resource control:ＲＲＣ)接続ステート(connected state）に進入した後、前記少なくとも一つのディスカバリリソースを要請するメッセージを送信していないか、又は、前記ＵＥにより要請される少なくとも一つのディスカバリリソースが前記少なくとも一つのディスカバリリソースを要請するメッセージの最後の送信以後に変更された場合、前記少なくとも一つのディスカバリリソースを要請するメッセージの送信を決定するステップを含むことを特徴とする請求項２に記載のユーザ端末機の方法。
【請求項４】
前記ＵＥがキャンプオン(camp on)しているセルのシステム情報が、前記ＵＥが無線リソース制御(radio resource control:ＲＲＣ)アイドルステート(idle state)に存在する間、サイドリンク(side link)直接ディスカバリ案内を送信することが許可されたリソースを含む共通リソースに対する情報を含まない場合、ＲＲＣ接続を確立するステップをさらに含むことを特徴とする請求項１に記載のユーザ端末機の方法。
【請求項５】
無線リソース制御(radio resource control:ＲＲＣ)接続を確立するステップをさらに含み、
前記ＲＲＣ接続は、サイドリンク(side link)発見のためのＲＲＣ接続であることを特徴とする請求項１に記載のユーザ端末機の方法。
【請求項６】
前記ＵＥに割り当てられた少なくとも一つのディスカバリリソースは、前記ＵＥが、前記ＵＥに割り当てられた少なくとも一つのディスカバリリソースに対する情報を含むメッセージを含むメッセージを受信したディスカバリ周期の次のディスカバリ周期で使用されることを特徴とする請求項１に記載のユーザ端末機の方法。
【請求項７】
前記基地局に、前記ＵＥが、前記ＵＥに割り当てられた少なくとも一つのディスカバリリソースをこれ以上要請しないことを示すメッセージを送信するステップをさらに含むことを特徴とする請求項１に記載のユーザ端末機の方法。
【請求項８】
基地局の方法であって、
ユーザ端末機(user equipment:ＵＥ)から少なくとも一つのディスカバリリソースを要請するメッセージを受信するステップと、
前記ＵＥに、前記ＵＥに割り当てられた少なくとも一つのディスカバリリソースに対する情報を含むメッセージを送信するステップと、を含み、
前記少なくとも一つのディスカバリリソースを要請するメッセージは、前記少なくとも一つのディスカバリリソースの個数に対する情報を含み、
前記ＵＥに割り当てられた少なくとも一つのディスカバリリソースは、時間インデックス及び周波数インデックスの形態で構成された専用リソースプールに含まれることを特徴とする基地局の方法。
【請求項９】
無線リソース制御(radio resource control:ＲＲＣ)接続を確立するステップをさらに含み、
前記ＲＲＣ接続は、サイドリンク(side link)発見のためのＲＲＣ接続であることを特徴とする請求項８に記載の基地局の方法。
【請求項１０】
前記ＵＥに割り当てられた少なくとも一つのディスカバリリソースは、前記ＵＥが、前記ＵＥに割り当てられた少なくとも一つのディスカバリリソースに対する情報を含むメッセージを含むメッセージを受信したディスカバリ周期の次のディスカバリ周期で使用されることを特徴とする請求項８に記載の基地局の方法。
【請求項１１】
前記ＵＥの無線リソース制御(radio resource control:ＲＲＣ)接続ステート(connected  state)への進入後に、前記少なくとも一つのディスカバリリソースを要請するメッセージが送信されていないか、又は、前記ＵＥにより要請される少なくとも一つのディスカバリリソースが前記少なくとも一つのディスカバリリソースを要請するメッセージの最後の送信以後に変更された場合、前記少なくとも一つのディスカバリリソースを要請するメッセージが送信されることを特徴とする請求項８に記載の基地局の方法。
【請求項１２】
前記ＵＥがキャンプオン(camp on)しているセルのシステム情報が、前記ＵＥが無線リソース制御(radio resource control:ＲＲＣ)アイドルステート(idle state)に存在する間、サイドリンク(side link)直接ディスカバリ案内を送信することが許可されたリソースを含む共通リソースに対する情報を含まない場合、ＲＲＣ接続を確立するステップをさらに含むことを特徴とする請求項８に記載の基地局の方法。
【請求項１３】
前記ＵＥから、前記ＵＥが、前記ＵＥに割り当てられた少なくとも一つのディスカバリリソースをこれ以上要請しないことを示すメッセージを受信するステップをさらに含むことを特徴とする請求項８に記載の基地局の方法。
【請求項１４】
移動管理エンティティ(mobility management entity:ＭＭＥ)から受信されたＵＥコンテキストに基づいて前記ＵＥが前記少なくとも一つのディスカバリリソースに対して印加されかた否かを確認するステップをさらに含むことを特徴とする請求項８に記載の基地局の方法。
【請求項１５】
ユーザ端末機(user equipment:ＵＥ)であって、
基地局に少なくとも一つのディスカバリリソースを要請するメッセージを送信する送信器と、
前記基地局から前記ＵＥに割り当てられた少なくとも一つのディスカバリリソースに対する情報を含むメッセージを受信する受信器と、を含み、
前記少なくとも一つのディスカバリリソースを要請するメッセージは、前記少なくとも一つのディスカバリリソースの個数に対する情報を含み、
前記ＵＥに割り当てられた少なくとも一つのディスカバリリソースは、時間インデックス及び周波数インデックスの形態で構成された専用リソースプールに含まれることを特徴とするユーザ端末機。
【請求項１６】
前記少なくとも一つのディスカバリリソースを要請するメッセージの送信を決定する制御器をさらに含むことを特徴とする請求項１５に記載のユーザ端末機。
【請求項１７】
前記制御器は、
前記ＵＥが無線リソース制御(radio resource control:ＲＲＣ)接続ステート(connected  state）に進入した後、前記少なくとも一つのディスカバリリソースを要請するメッセージを送信していないか、又は、前記ＵＥにより要請される少なくとも一つのディスカバリリソースが前記少なくとも一つのディスカバリリソースを要請するメッセージの最後の送信以後に変更された場合、前記少なくとも一つのディスカバリリソースを要請するメッセージの送信を決定することを特徴とする請求項１６に記載のユーザ端末機。
【請求項１８】
前記送信器及び受信器は、
前記ＵＥがキャンプオン(camp on)しているセルのシステム情報が、前記ＵＥが無線リソース制御(radio resource control:ＲＲＣ)アイドルステート(idle state)に存在する間、サイドリンク(side link)直接ディスカバリ案内を送信することが許可されたリソースを含む共通リソースに対する情報を含まない場合にＲＲＣ接続を確立することを特徴とする請求項１５に記載のユーザ端末機。
【請求項１９】
前記送信器及び受信器は、
無線リソース制御(radio resource control:ＲＲＣ)接続を確立し、
前記ＲＲＣ接続は、サイドリンク(side link)発見のためのＲＲＣ接続であることを特徴とする請求項１５に記載のユーザ端末機。
【請求項２０】
前記ＵＥに割り当てられた少なくとも一つのディスカバリリソースは、前記ＵＥが、前記ＵＥに割り当てられた少なくとも一つのディスカバリリソースに対する情報を含むメッセージを含むメッセージを受信したディスカバリ周期の次のディスカバリ周期で使用されることを特徴とする請求項１５に記載のユーザ端末機。
【請求項２１】
前記送信器は、
前記基地局に、前記ＵＥが、前記ＵＥに割り当てられた少なくとも一つのディスカバリリソースをこれ以上要請しないことを示すメッセージを送信することを特徴とする請求項１５に記載のユーザ端末機。
【請求項２２】
基地局であって、
ユーザ端末機(user equipment:ＵＥ)から少なくとも一つのディスカバリリソースを要請するメッセージを受信する受信器と、
前記ＵＥに、前記ＵＥに割り当てられた少なくとも一つのディスカバリリソースに対する情報を含むメッセージを送信する送信器と、を含み、
前記少なくとも一つのディスカバリリソースを要請するメッセージは、前記少なくとも一つのディスカバリリソースの個数に対する情報を含み、
前記ＵＥに割り当てられた少なくとも一つのディスカバリリソースは、時間インデックス及び周波数インデックスの形態で構成された専用リソースプールに含まれることを特徴とする基地局。
【請求項２３】
前記送信器及び受信器は、
無線リソース制御(radio resource control:ＲＲＣ)接続を確立し、
前記ＲＲＣ接続はサイドリンク(side link)発見のためのＲＲＣ接続であることを特徴とする請求項２２に記載の基地局。
【請求項２４】
前記ＵＥに割り当てられた少なくとも一つのディスカバリリソースは、前記ＵＥが、前記ＵＥに割り当てられた少なくとも一つのディスカバリリソースに対する情報を含むメッセージを含むメッセージを受信したディスカバリ周期の次のディスカバリ周期で使用されることを特徴とする請求項２２に記載の基地局。
【請求項２５】
前記ＵＥの無線リソース制御(radio resource control:ＲＲＣ)接続ステート(connected state)への進入後、前記少なくとも一つのディスカバリリソースを要請するメッセージが送信されていないか、又は、前記ＵＥにより要請される少なくとも一つのディスカバリリソースが前記少なくとも一つのディスカバリリソースを要請するメッセージの最後の送信以後に変更された場合、前記少なくとも一つのディスカバリリソースを要請するメッセージが送信されることを特徴とする請求項２２に記載の基地局。
【請求項２６】
前記送信器及び受信器は、
前記ＵＥがキャンプオン(camp on)しているセルのシステム情報が、前記ＵＥが無線リソース制御(radio resource control:ＲＲＣ)アイドルステート(idle state)に存在する間、サイドリンク(side link)直接ディスカバリ案内を送信することが許可されたリソースを含む共通リソースに対する情報を含まない場合にＲＲＣ接続を確立することを特徴とする請求項２２に記載の基地局。
【請求項２７】
前記受信器は、
前記ＵＥから、前記ＵＥが、前記ＵＥに割り当てられた少なくとも一つのディスカバリリソースをこれ以上要請しないことを示すメッセージを受信することを特徴とする請求項２２に記載の基地局。
【請求項２８】
移動管理エンティティ(mobility management entity:ＭＭＥ)から受信されたＵＥコンテキストに基づいて、前記ＵＥが前記少なくとも一つのディスカバリリソースに対して印加されたか否かを確認する制御器をさらに含むことを特徴とする請求項２２に記載の基地局。